(57)【要約】【課題】口金付きランプの落下の防止でき、且つ、口金付きランプの結合の緩みを防止できる照明装置、及び、落下防止ワイヤを提供する。【解決手段】照明装置１は、ランプ３と、ランプ３を装着可能な照明器具本体２と、一端のランプ連結ループ部３０がランプ３に接続され他端の第２のループ部２２が照明器具本体２に接続される落下防止ワイヤ４とを有し、一端と他端との間の落下防止ワイヤ４の中間部の第３のループ部２３は照明器具本体２に接続され、落下防止ワイヤ４は、ランプ３の口金の回転を規制するようにランプ連結ループ部３０と第３のループ部２３との間で張られた状態で設けられる。【選択図】図１
2015028862.tif 000002
【特許請求の範囲】
【請求項１】
口金付きランプと、当該口金付きランプを装着可能な照明器具本体と、一端が前記口金付きランプに接続され他端が前記照明器具本体に接続されるワイヤとを有し、
前記一端と前記他端との間の前記ワイヤの中間部は前記照明器具本体に接続され、前記ワイヤは、前記口金付きランプの口金の回転を規制するように前記一端と前記中間部との間で張られた状態で設けられることを特徴とする照明装置。
【請求項２】
前記照明器具本体は、セードを有し、前記中間部は前記セードの縁に接続されることを特徴とする請求項１記載の照明装置。
【請求項３】
前記口金付きランプは、ＬＥＤ光源と、当該ＬＥＤ光源を支持する筐体とを有し、当該筐体には孔が設けられ、当該孔に前記一端が接続されることを特徴とする請求項１または２に記載の照明装置。
【請求項４】
前記中間部は、固定具を介して前記照明器具本体に接続され、当該固定具は取付自在であることを特徴とする請求項１から３のいずれかに記載の照明装置。
【請求項５】
前記一端は前記口金付きランプの回転軸から離れた場所に接続され、
前記中間部は、平面視において、前記一端から略最短距離で前記照明器具本体に接続されることを特徴とする請求項１から４のいずれかに記載の照明装置。
【請求項６】
前記一端は前記口金付きランプの回転軸から離れた場所に接続され、
前記中間部は、前記口金付きランプを前記口金の締め付け方向に引っ張る位置に接続されることを特徴とする請求項１から４のいずれかに記載の照明装置。
【請求項７】
ランプソケットを有する照明器具本体に設置される口金付きランプの落下を防止するための落下防止ワイヤであって、
一端に前記口金付きランプが接続されるランプ接続部を有し、他端に前記照明器具本体が接続される器具接続部を有し、
前記ランプ接続部と前記器具接続部との間の中間部に、当該中間部を前記照明器具本体に接続する固定具を有することを特徴とする落下防止ワイヤ。
【請求項８】
前記一端に第１のループ部を有し、前記他端に第２のループ部を有し、第１のループ部は前記他端が通ることが可能な大きさを有し、前記第２のループ部には係止具が設けられることを特徴とする請求項７記載の落下防止ワイヤ。
【発明の詳細な説明】
【技術分野】
【０００１】
本発明は、照明装置、及び、口金付きランプの落下を防止する落下防止ワイヤに関する。
【背景技術】
【０００２】
従来、口金付きランプと、口金付きランプが口金を介して締め込まれて装着される照明器具本体とを備えた照明装置において、口金付きランプと照明器具本体とをワイヤで接続し、口金付きランプの落下を防止するものが知られている（例えば、特許文献１参照）。
【先行技術文献】
【特許文献】
【０００３】
【特許文献１】特開２０１３−８４４３９号公報
【発明の概要】
【発明が解決しようとする課題】
【０００４】
ところで、上記従来の照明装置では、上記ワイヤによって、照明器具本体からの口金付きランプの落下を防止できるが、落下の前段階で生じる口金と照明器具本体との結合の緩みは防止できなかった。
本発明は、上述した事情に鑑みてなされたものであり、口金付きランプの落下を防止でき、且つ、口金付きランプの結合の緩みを防止できる照明装置、及び、落下防止ワイヤを提供することを目的とする。
【課題を解決するための手段】
【０００５】
上記目的を達成するために、本発明は、口金付きランプと、当該口金付きランプを装着可能な照明器具本体と、一端が前記口金付きランプに接続され他端が前記照明器具本体に接続されるワイヤとを有し、前記一端と前記他端との間の前記ワイヤの中間部は前記照明器具本体に接続され、前記ワイヤは、前記口金付きランプの口金の回転を規制するように前記一端と前記中間部との間で張られた状態で設けられることを特徴とする。
上述の構成において、前記照明器具本体は、セードを有し、前記中間部は前記セードの縁に接続される構成としてもよい。
上述の構成において、前記口金付きランプは、ＬＥＤ光源と、当該ＬＥＤ光源を支持する筐体とを有し、当該筐体には孔が設けられ、当該孔に前記一端が接続される構成としてもよい。
【０００６】
上述の構成において、前記中間部は、固定具を介して前記照明器具本体に接続され、当該固定具は取付自在である構成としてもよい。
上述の構成において、前記一端は前記口金付きランプの回転軸から離れた場所に接続され、前記中間部は、平面視において、前記一端から略最短距離で前記照明器具本体に接続される構成としてもよい。
上述の構成において、前記一端は前記口金付きランプの回転軸から離れた場所に接続され、前記中間部は、前記口金付きランプを前記口金の締め付け方向に引っ張る位置に接続される構成としても良い。
【０００７】
また、本発明は、ランプソケットを有する照明器具本体に設置される口金付きランプの落下を防止するための落下防止ワイヤであって、一端に前記口金付きランプが接続されるランプ接続部を有し、他端に前記照明器具本体が接続される器具接続部を有し、前記ランプ接続部と前記器具接続部との間の中間部に、当該中間部を前記照明器具本体に接続する固定具を有することを特徴とする落下防止ワイヤを提供する。
上述の構成において、前記一端に第１のループ部を有し、前記他端に第２のループ部を有し、第１のループ部は前記他端が通ることが可能な大きさを有し、前記第２のループ部には係止具が設けられる構成としてもよい。
【発明の効果】
【０００８】
本発明によれば、口金付きランプの結合の緩みを防止できる照明装置、及び、落下防止ワイヤを提供できる。
【図面の簡単な説明】
【０００９】
【図１】本実施形態に係る照明装置の一態様たる高天井用の照明装置の構成を示す斜視図である。
【図２】照明装置を示す図であり、図２（ａ）は側面図、図２（ｂ）は下方から見た平面図である。
【図３】ランプの斜視図である。
【図４】落下防止ワイヤを示す図である。
【図５】落下防止ワイヤを示す図である。
【図６】照明装置を下方から見た平面図である。
【図７】図６のＶＩＩ−ＶＩＩ断面図である。
【図８】実施の形態の変形例における照明装置の構成を示す斜視図である。
【発明を実施するための形態】
【００１０】
以下、図面を参照して本発明の実施形態について説明する。
図１は、本実施形態に係る照明装置の一態様たる高天井用の照明装置１の構成を示す斜視図である。図２は、照明装置１を示す図であり、図２（ａ）は側面図、図２（ｂ）は下方から見た平面図である。
ここで、本発明の照明装置は、鉛直方向の下方の照射対象物を照らす、いわゆる下方点灯の状態で設置されるものであればよく、高天井用に限らず、例えば看板や壁面等の照射対象物を照らすものであってもよい。
【００１１】
照明装置１は、天井に吊り下げられるようにして設置される照明器具本体２と、照明器具本体２に装着されるランプ３と、ランプ３と照明器具本体２とを接続してランプ３の落下を防止する落下防止ワイヤ４とを備える。照明器具本体２は、ランプ３が装着されるホルダ５と、ホルダ５に取り付けられ、ランプ３が放射する光を下方に反射する笠状のセード６とを備える。
【００１２】
ホルダ５は、上下に長い円筒状に形成されたホルダ本体７と、ホルダ本体７の上端部に設けられ、天井に直接的に固定される天井固定部８とを有する。
ホルダ本体７の筒内には、ホルダ本体７の下端７ａの開口から挿入されたランプ３が締結される不図示のソケット部（ランプソケット）が設けられている。ホルダ本体７の上部には、落下防止ワイヤ４が接続される上部接続部７ｂが形成されている。上部接続部７ｂは、ホルダ本体７の上面の周縁部から上方に突出した板部に孔部７ｃを設けて形成されており、落下防止ワイヤ４は孔部７ｃに通される。
【００１３】
セード６は、下端側ほど外径が大きくなる略椀型に形成されており、その内面に、回転方物面状の反射面６ａを備える。ランプ３の光は、反射面６ａで反射してセード６の下端の開放部６ｂから下方に照射される。セード６は、その軸心がホルダ５及びランプ３の軸心と略一致するように配置され、セード６の頂上部には、ランプ３が挿通されるランプ挿入開口（不図示）が設けられている。ランプ３はセード６内に収納されており、ランプ３の下端は、セード６内の上部に位置する。
セード６の開放部６ｂの周縁部（縁）には、セード６の下端を径方向外側に折り曲げるようにして形成されたフランジ部６ｃが設けられており、フランジ部６ｃによってセード６の剛性が向上している。
【００１４】
図３は、ランプ３の斜視図である。
ランプ３は、ＬＥＤランプであり、ホルダ本体７の筒内に挿入される筒状部９と、筒状部９の一端に設けられる口金１０と、筒状部９の他端に設けられる円盤状のベース板１１と、ベース板１１に設けられる発光部１２とを備える。
発光部１２は、ベース板１１に支持されるＬＥＤ基板（不図示）と、このＬＥＤ基板上に設けられる光源としての複数のＬＥＤ素子１３と、ＬＥＤ基板及びＬＥＤ素子１３を覆うカバー１４とを備える。ＬＥＤ素子１３を点灯させるための電力変換装置や駆動回路等（不図示）は、筒状部９内に収納されている。
尚、電力変換装置や駆動回路等はランプ３に内蔵せず、別の場所に設置しても良い。
【００１５】
ベース板１１の裏面において筒状部９の周囲には、放熱フィン１５が、筒状部９を中心として放射状に複数設けられている。放熱フィン１５によって、発光部１２の放熱が促進されるとともに、ベース板１１の剛性が向上されている。筒状部９、ベース板１１及び放熱フィン１５は、ランプ３の筐体３ａを構成する。
各放熱フィン１５は、平面視においてベース板１１の周縁部よりも径方向外側に突出した突出部１５ａを有し、幾つかの突出部１５ａには、隣接する突出部１５ａ，１５ａを周方向に繋ぐ板状の下部接続部１６が設けられている。下部接続部１６は、下部接続部１６を貫通する孔部１６ａを有し、落下防止ワイヤ４は孔部１６ａに通される。下部接続部１６は、ベース板１１の周方向に並べて複数箇所に設けられている。
【００１６】
口金１０は、外周面に雄ねじ部１０ａを有し、雄ねじ部１０ａは、ホルダ５の上記ソケット部の雌ねじ部（不図示）に結合される。ランプ３を照明器具本体２に取り付ける際には、ランプ３の筒状部９をホルダ５の筒内に挿入し、ランプ３を図２（ｂ）の時計回りの締結方向Ｘに回転させることで、口金１０が上記ソケット部の雌ねじ部に締結され、ランプ３がホルダ５に固定される。
【００１７】
図４及び図５は、落下防止ワイヤ４を示す図である。図５では、落下防止ワイヤ４の一部の部品が取り外された状態が示されている。
落下防止ワイヤ４は、金属製のワイヤ体１７と、ワイヤ体１７を照明器具本体２に接続する取り付けフック１８と、ワイヤ体１７をセード６に固定する固定具１９とを備える。
ワイヤ体１７は、ワイヤ体１７の一端に形成されランプ３に接続される第１のループ部２１と、ワイヤ体１７の他端に形成され照明器具本体２に接続される器具接続部としての第２のループ部２２とを備える。また、ワイヤ体１７は、ワイヤ体１７上において第１のループ部２１と第２のループ部２２との間の中間部に形成される第３のループ部２３を備える。
【００１８】
ワイヤ体１７は、一本のワイヤから構成されており、一本のワイヤを所定の箇所で屈曲させてかしめることで、複数のループ部が形成されている。詳細には、第１のループ部２１は、ワイヤ体１７の一端をループ状に屈曲させてかしめ部２４でかしめられ、第２のループ部２２はワイヤ体１７の他端をループ状に屈曲させてかしめ部２５でかしめられている。第３のループ部２３は、ワイヤ体１７の中間部をループ状に屈曲させて２つのかしめ部２６，２６でかしめられている。
ループ部の径は、第２のループ部２２が最も大きく、第１のループ部２１が第２のループ部２２よりも小さく、第３のループ部２３が最も小さい。また、第１のループ部２１の内径は、畳んだ状態の第３のループ部２３及び第２のループ部２２が、第１のループ部２１内を通過可能な大きさに形成されている。
【００１９】
取り付けフック１８は、弾性力によって開放可能部１８ａが閉じられている環状フックである。開放可能部１８ａを外側から押圧することで開放可能部１８ａが開放され、開放可能部１８ａを介して第２のループ部２２が取り付けフック１８に連結される。
【００２０】
図６は、照明装置１を下方から見た平面図である。図７は、図６のＶＩＩ−ＶＩＩ断面図である。
図１、図４、図６及び図７に示すように、第３のループ部２３には固定具１９が取り付けられ、第３のループ部２３は、固定具１９を介し、フランジ部６ｃを含むセード６の下端部の縁に固定されている。
第１のループ部２１から第３のループ部２３までのワイヤ体１７の区間は、ランプ３とセード６とを連結してランプ３の口金１０の締結の緩みを防止する回転防止ワイヤ部１７ａを構成する。
【００２１】
固定具１９は、セード６を外側及び内側から挟むように設けられる一対の外側固定板２７及び内側固定板２８と、外側固定板２７と内側固定板２８とを結合するねじ２９とを備える。
外側固定板２７は、セード６の下端部の外側面に沿って取り付けられる板であり、フランジ部６ｃの形状に沿ってクランク状に屈曲する屈曲部２７ａを有する。外側固定板２７は、屈曲部２７ａからフランジ部６ｃよりも下方に延出するワイヤ支持部２７ｂを備え、ワイヤ支持部２７ｂには、ねじ２９が挿通される孔２７ｃが形成されている。
【００２２】
内側固定板２８は、セード６の下端部の内側面に沿って取り付けられる板であり、フランジ部６ｃの形状に沿ってクランク状に屈曲する屈曲部２８ａを有する。内側固定板２８は、屈曲部２８ａからフランジ部６ｃよりも下方に延出するワイヤ支持部２８ｂを備え、ワイヤ支持部２８ｂには、ねじ２９が締結されるねじ孔部２８ｃが形成されている。ワイヤ支持部２８ｂの下端には、外側固定板２７側に突出する突部２８ｄが形成されており、ねじ２９が締結された状態であっても、突部２８ｄがワイヤ支持部２７ｂに当接することで、ワイヤ支持部２７ｂ，２８ｂの間には隙間２９が形成される。
【００２３】
第３のループ部２３は、隙間２９内でワイヤ支持部２７ｂ，２８ｂ間に渡されるねじ２９に第３のループ部２３が挿通されることで、固定具１９に接続される。隙間２９は、ワイヤ体１７の直径よりもわずかに大きく形成されており、第３のループ部２３は、隙間２９内である程度動くことができる。このため、ねじ２９を締結していく際に第３のループ部２３の回転方向の位置に特別な注意を払う必要がなく、容易に取り付けを行うことができる。また、固定具１９は、屈曲部２７ａ，２８ａがフランジ部６ｃに対し上下方向に引っ掛かるようにしてセード６に固定されるため、固定具１９を強固に固定できる。
固定具１９は、ねじ２９の締結を調整することで、セード６に対し取付自在である。
【００２４】
ここで、図１、図４〜図６を参照し、ランプ３及び落下防止ワイヤ４の取り付け手順の一例について説明する。
まず、ランプ３の筒状部９をホルダ５の筒内に挿入し、ランプ３を図６中の時計回りの締結方向Ｘに回転させて、口金１０をホルダ本体７のソケット部の雌ねじ部（不図示）に締結する。
次いで、図５の状態のワイヤ体１７の第１のループ部２１を、ランプ３の下部接続部１６の孔部１６ａに通すとともに、ワイヤ体１７を大きく屈曲させ、孔部１６ａを通った第１のループ部２１に、第３のループ部２３及び第２のループ部２２を順次通す。これにより、ワイヤ体１７の一端には、孔部１６ａに連結されたランプ接続部としてのランプ連結ループ部３０（図１）が形成される。この状態で、第３のループ部２３を引っ張ることで、ランプ連結ループ部３０は、径が小さくなって孔部１６ａに締め付けられ、孔部１６ａに強固に固定される。
【００２５】
続いて、第３のループ部２３に固定具１９をセットし、固定具１９を介して第３のループ部２３をセード６の下端部の縁に固定する。第３のループ部２３が固定される位置は、図６の平面視において、ランプ連結ループ部３０と第３のループ部２３との間の回転防止ワイヤ部１７ａが略最短距離となる位置である。すなわち、回転防止ワイヤ部１７ａは、ランプ３の中心の回転軸Ｃと孔部１６ａとを通る仮想の直線Ｌに略一致して直線的に延びる。さらに、回転防止ワイヤ部１７ａは、下部接続部１６と固定具１９との間がピンと張った状態で弛みが無いように張られている。回転防止ワイヤ部１７ａの長さは、略最短距離で第３のループ部２３をセード６の下端部の縁に接続した場合に、ピンと張る長さに設定されている。
その後、第２のループ部２２をセード６の外側へ上方に引き出し、第２のループ部２２を照明器具本体２の上部接続部７ｂの孔部７ｃに通し、取り付けフック１８によって、第２のループ部２２において、孔部７ｃを通った部分２２ａと、孔部７ｃを通る前の部分２２ｂとを連結することで、第２のループ部２２を照明器具本体２に接続する。第２のループ部２２は、照明器具本体２の外周側の孔部７ｃに接続されるため、第２のループ部２２が照明器具本体２の外周に対して相対回転して空回りすることは無い。
【００２６】
このように、回転防止ワイヤ部１７ａによって、ランプ３とセード６の下端部の縁とを略最短距離且つピンと張った状態で繋ぐことで、回転防止ワイヤ部１７ａには、ランプ３の口金１０の締結を緩める方向Ｙ（図６）に略直交する張力Ｔ１が発生する。張力Ｔ１が発生することで、ランプ３に振動等が作用したとしても、ランプ３の回転を規制できるため、ランプ３の口金１０の締結の緩みを防止できる。また、固定具１９が外れる等の要因によりランプ３の口金１０の締結が緩んだとしても、第２のループ部２２が照明器具本体２に接続されているため、ランプ３の照明器具本体２からの落下を防止できる。
また、落下防止ワイヤ４のランプ連結ループ部３０は、ランプ３の回転の回転軸Ｃから離れたランプ３の外周部に接続されるため、張力Ｔ１によって方向Ｙの力に対して効果的に対抗でき、口金１０の締結の緩みを防止できる。
【００２７】
さらに、ランプ３の落下を防止するための落下防止ワイヤ４の一部に回転防止ワイヤ部１７ａを設け、回転防止ワイヤ部１７ａを一本のワイヤ体１７の一部に一体的に設けたため、ランプ３の落下及び回転を防止できる落下防止ワイヤ４を簡単な構成で実現できる。
また、フランジ部６ｃによって剛性が大きく確保されたセード６の下端の開放部６ｂの縁に第３のループ部２３を接続するため、回転防止ワイヤ部１７ａに効果的に張力Ｔ１を発生させることができ、口金１０の締結の緩みを防止できる。
【００２８】
ここで、回転防止ワイヤ部１７ａは、口金１０の締結を緩める方向Ｙに対抗する方向に張力を発生するように接続されればよい。例えば、図６に２点鎖線で示すように、直線Ｌに略直交し且つ口金１０を締め込む方向、すなわち、締結方向Ｘに略一致する方向に張力Ｔ２が発生する位置に第３のループ部２３を接続してもよい。また、図６では、張力Ｔ２を発生させる回転防止ワイヤ部１７ａと直線Ｌとのなす角は略９０°であるが、この角度は、回転防止ワイヤ部１７ａの張力が締結方向Ｘに作用する角度であればよく、９０°より小さい角度或いは９０°よりも大きい角度であってもよい。さらに、第３のループ部２３のセード６の縁に対する固定位置を、張力を効果的に発生できるように微調整することで、回転防止ワイヤ部１７ａの長さを厳密に管理しなくとも、張力を発生させて口金１０の緩みを防止できる。
このように、口金１０の締結方向に張力Ｔ２が発生するように回転防止ワイヤ部１７ａを設けることで、口金１０の締結の緩みを効果的に防止できる。
【００２９】
以上説明したように、本発明を適用した実施の形態によれば、照明装置１は、ランプ３と、ランプ３を装着可能な照明器具本体２と、一端のランプ連結ループ部３０がランプ３に接続され他端の第２のループ部２２が照明器具本体２に接続される落下防止ワイヤ４とを有し、一端と他端との間の落下防止ワイヤ４の中間部の第３のループ部２３は照明器具本体２に接続され、落下防止ワイヤ４は、ランプ３の口金１０の回転を規制するようにランプ連結ループ部３０と第３のループ部２３との間で張られた状態で設けられる。これにより、ランプ３と照明器具本体２とを接続する落下防止ワイヤ４の第３のループ部２３とランプ３との間に生じる張力によって、ランプ３の口金１０の回転を防止できるため、ランプ３の口金１０の結合の緩みを防止でき、且つ、落下防止ワイヤ４の全体によってランプ３の落下を防止できる。
【００３０】
また、照明器具本体２は、セード６を有し、第３のループ部２３はセード６の縁に接続されるため、第３のループ部２３を容易に照明器具本体２に接続できるとともに、剛性が高い縁に効果的に第３のループ部２３を接続できる。
また、ランプ３は、ＬＥＤ素子１３と、ＬＥＤ素子１３を支持する筐体３ａを有し、筐体３ａには孔部７ｃが設けられ、孔部７ｃにランプ連結ループ部３０が接続されるため、落下防止ワイヤ４の一端を容易にランプ３に接続できる。
また、第３のループ部２３は、固定具１９を介して照明器具本体２に接続され、固定具１９は取付自在であるため、固定具１９の位置を変更して回転防止ワイヤ部１７ａの張力を容易に調節でき、取り付け性が良い。
【００３１】
また、一端のランプ連結ループ部３０はランプ３の回転軸Ｃから離れた場所に接続され、第３のループ部２３は、平面視において、ランプ連結ループ部３０から略最短距離でセード６に接続されるため、短い回転防止ワイヤ部１７ａで効果的に張力を発生させてランプ３を口金１０の緩みを防止できる。
また、一端のランプ連結ループ部３０はランプ３の回転軸Ｃから離れた場所に接続され、第３のループ部２３は、ランプ３を口金１０の締め付け方向に引っ張る位置に接続されるため、回転防止ワイヤ部１７ａの張力によってランプ３を締め付け方向に締め付けておくことができ、ランプ３の口金１０の緩みを効果的に防止できる。
【００３２】
また、落下防止ワイヤ４は、一端にランプ３が接続されるランプ連結ループ部３０を有し、他端に照明器具本体２が接続される第２のループ部２２を有し、ランプ連結ループ部３０と第２のループ部２２との間の中間部の第３のループ部２３に、第３のループ部２３を照明器具本体２に接続する固定具１９を有する。これにより、ランプ連結ループ部３０と第２のループ部２２との間の第３のループ部２３を固定具１９によって照明器具本体２に接続することで、第３のループ部２３とランプ連結ループ部３０との間に生じる張力によって、ランプ３の口金１０の回転を防止できるため、ランプ３の口金１０の結合の緩みを防止でき、且つ、落下防止ワイヤ４の全体によってランプ３の落下を防止できる。
【００３３】
また、落下防止ワイヤ４は、一端に第１のループ部２１を有し、他端に第２のループ部２２を有し、第１のループ部２１は他端が通ることが可能な大きさを有し、第２のループ部２２には取り付けフック１８が設けられる。このため、第１のループ部２１に第２のループ部２２を通してランプ連結ループ部３０を簡単にランプ３に接続できるとともに、取り付けフック１８によって第２のループ部２２を照明器具本体２に簡単に接続できる。
【００３４】
なお、上記実施の形態は本発明を適用した一態様を示すものであって、本発明は上記実施の形態に限定されるものではない。
上記実施の形態では、落下防止ワイヤ４は、第１のループ部２１と第２のループ部２２との間の中間部に第３のループ部２３を備えるものとして説明したが、本発明はこれに限定されるものではない。中間部は、固定具によってセード６に固定可能なものであればループ状に形成されていなくともよく、例えば、落下防止ワイヤの線状の中間部を単に外側固定板２７と内側固定板２８との間で狭持する構成とすることもできる。
また、上記実施の形態では、回転防止ワイヤ部１７ａの長さは、略最短距離で第３のループ部２３をセード６の下端部の縁に接続した場合に、ピンと張る長さに設定されているものとして説明したが、本発明はこれに限定されない。例えば、回転防止ワイヤ部１７ａを長さの調節が可能な構造とし、ランプ３やセード６の形状等に応じて回転防止ワイヤ部１７ａの長さを調節して張力が得られるように落下防止ワイヤを構成しても良い。
【００３５】
［変形例］
図８は、実施の形態の変形例における照明装置の構成を示す斜視図である。なお、この変形例において、上記実施の形態と同様に構成される部分については、同符号を付して説明を省略する。
図８に示すように、照明装置１００は、照明器具本体１０２と、ランプ３と、ランプ３と照明器具本体１０２とを接続してランプ３の落下を防止する落下防止ワイヤ４とを備える。照明器具本体１０２は、セード６を有する。
ランプ３は、照明器具本体１０２の円筒状に形成されたホルダ本体１０７に挿入され、ホルダ本体１０７内の不図示のソケット部に口金１０が締結される。
【００３６】
第２のループ部２２は、ホルダ本体１０７の外周に巻き付けるように設けられるとともに、フック１１８によって第２のループ部２２の末端と基端とが連結されることで、照明器具本体１０２に接続される。変形例の構成によれば、第３のループ部２３が固定具１９によってセード６に固定されるため、第２のループ部２２がホルダ本体１０７の外周に単に巻き付けるように設けられる構成であっても、落下防止ワイヤ４を回り止めできる。
【符号の説明】
【００３７】
１，１００  照明装置
２，１０２  照明器具本体
３  ランプ（口金付きランプ）
３ａ  筐体
４  落下防止ワイヤ（ワイヤ）
６  セード
１０  口金
１３  ＬＥＤ素子（ＬＥＤ光源）
１６ａ  孔部（孔）
１８  取り付けフック（係止具）
１９  固定具
２１  第１のループ部
２２  第２のループ部（他端、器具接続部）
２３  第３のループ部（中間部）
３０  ランプ連結ループ部（一端、ランプ接続部）
Ｃ  回転軸
【図１】
2015028862.tif 000003
【図２】
2015028862.tif 000004
【図３】
2015028862.tif 000005
【図４】
2015028862.tif 000006
【図５】
2015028862.tif 000007
【図６】
2015028862.tif 000008
【図７】
2015028862.tif 000009
【図８】
2015028862.tif 000010